(57)【要約】【課題】基礎の上面と上部構造物の下面の接触面間の中間部を区画、封止する封止部材が破損することがなく、上部構造物を確実に水平に浮上させることができる浮上式の免震装置を提供すること。【解決手段】上面３Ａを平坦な面に形成した基礎３の上に、下面２Ａを平坦な面に形成した上部構造物２を、基礎３の上面３Ａと上部構造物２の下面２Ａとが面接触するように載置するとともに、面接触する基礎３の上面３Ａと上部構造物２の下面２Ａの外周部の接触面間を外周封止部材４Ｂによって封止し、地震時に基礎３の上面３Ａと上部構造物２の下面２Ａの間に圧力気体を導入することによって上部構造物２を浮上させるようにして、面接触する基礎３の上面３Ａと上部構造物２の下面２Ａの接触面間の中間部を区画、封止する中間封止部材４Ａを、上部構造物２の外周側から装着するようにする。【選択図】図１
2011202769.tif 000002
【特許請求の範囲】
【請求項１】
上面を平坦な面に形成した基礎の上に、下面を平坦な面に形成した上部構造物を、基礎の上面と上部構造物の下面とが面接触するように載置するとともに、面接触する基礎の上面と上部構造物の下面の外周部の接触面間を外周封止部材によって封止し、地震時に基礎の上面と上部構造物の下面の間に圧力気体を導入することによって上部構造物を浮上させるようにした浮上式の免震装置において、前記外周部の接触面間を外周封止部材によって封止する面接触する基礎の上面と上部構造物の下面の接触面間の中間部を区画、封止する中間封止部材を、上部構造物の外周側から装着するようにして、地震時に基礎の上面と上部構造物の下面の間に圧力気体を導入することによって、基礎の上面と上部構造物の下面の間に複数の独立した圧力気体導入空間が形成されるようにしたことを特徴とする浮上式の免震装置。
【請求項２】
中間封止部材の動作を確保する中間封止部材の動作空間を基礎及び上部構造物の一方側に形成したことを特徴とする請求項１記載の浮上式の免震装置。
【請求項３】
中間封止部材の上下方向の一方側の縁部が、基礎の上面及び上部構造物の下面の一方側に形成された中間封止部材装着部に装着されるとともに、他方側の縁部が、基礎の上面及び上部構造物の下面の他方側の面に摺接されるようにしたことを特徴とする請求項１又は２記載の浮上式の免震装置。
【請求項４】
中間封止部材を、ばね鋼材で形成するとともに、前記中間封止部材の他方側の縁部が、一方側の縁部に対して、圧力気体導入空間の内側に指向するように傾斜して装着したことを特徴とする請求項３記載の浮上式の免震装置。
【発明の詳細な説明】
【技術分野】
【０００１】
本発明は、浮上式の免震装置に関し、特に、圧力気体によって基礎から上部構造物を浮上させるようにした浮上式の免震装置に関するものである。
【背景技術】
【０００２】
従来、浮上式の免震装置としては、上面を平坦な面に形成した基礎の上に、下面を平坦な面に形成した上部構造物を、基礎の上面と上部構造物の下面とが面接触するように載置するとともに、面接触する基礎の上面と上部構造物の下面の外周部の接触面間を外周封止部材によって封止し、地震時に基礎の上面と上部構造物の下面の間に圧力気体を導入することによって上部構造物を浮上させるようにした浮上式の免震装置が提案されている（特許文献１参照）。
【０００３】
しかし、この浮上式の免震装置では、例えば、上部構造物（建造物）の階数や高さに偏りがあり、上部構造物の重心が平面視したとき上部構造物の中心に位置しない場合、上部構造物を水平状態を維持した状態で浮上させることが困難で、上部構造物が傾いて浮上するという問題があった。
また、上部構造物が傾いて浮上することに伴って、外周封止部材の摩擦抵抗に起因する浮上時のローリング現象による揺れ角度が大きくなるという問題があった。
【０００４】
かかる問題に対処するため、面接触する基礎の上面と上部構造物の下面との間に、複数の圧力気体の導入空間を形成し、各圧力気体の導入空間の圧力を調整することで、上部構造物の重心に偏りがある場合でも、上部構造物が水平状態を維持した状態で浮上するようにした浮上式の免震装置が提案されている（特許文献２参照）。
【０００５】
この浮上式の免震装置は、図６に示すように、施工の際、上面５１Ａを平坦な面とした基礎５１に面接触させる上部構造物５２の下面５２Ａの複数の箇所（例えば４箇所）に、半円状の溝部５３を環状に形成し、この溝部５３に弾性のある膨張管シールド材５４を挿入し、基礎５１の上面５１Ａと上部構造物５２の下面５２Ａの接触面間に導入する圧力気体とは別に、膨張管シールド材５４にシールド空気導入管５４Ａから圧力気体を導入して、上部構造物２を浮上させるための圧力気体が圧力気体導入管５５Ａを介して導入される空間５５を区画して複数形成するようにしている。
【先行技術文献】
【特許文献】
【０００６】
【特許文献１】実用新案登録第３１１９６７５号公報
【特許文献２】特開２００９−１５０１９８号公報
【発明の概要】
【発明が解決しようとする課題】
【０００７】
ところで、この浮上式の免震装置５０は、圧力気体が導入される空間５５を区画するための密閉材である膨張管シールド材５４を、上部構造物５２の下面５２Ａと基礎５１の上面５１Ａとの間に配設する作業が繁雑であり、また、上部構造物５２を浮上させるための圧力気体のほかに、膨張管シールド材５４を膨張させるための圧力気体が必要になるとともに、浮上した上部構造物５２が、地震の沈静後、基礎５１の上面５１Ａに戻る際に、弾性のある膨張管シールド材５４を挟み込んで、膨張管シールド材５４を破損させる場合があり、かかる場合には、基礎５１の上面５１Ａと上部構造物５２の下面５２Ａの外周部の接触面間を封止する外周封止部材がないため、すべての膨張管シールド材５４が破損している場合には、次に地震が発生したときに、上部構造物５２を浮上させることができないこととなる。
また、一部の膨張管シールド材５４が破損した場合には、次に地震が発生したときに、上部構造物５２を水平状態を維持した状態で浮上させることができないという問題があった。
【０００８】
本発明は、上記従来の浮上式の免震装置の有する問題点に鑑み、圧力気体を導入することによって、基礎の上面と上部構造物の下面の間に複数の独立した圧力気体導入空間が形成されるようにした浮上式の免震装置でも、基礎の上面と上部構造物の下面の接触面間の中間部を区画、封止する封止部材の取り付け作業を容易に行うことができるとともに、取り付けた封止部材が破損することがなく、上部構造物を確実に水平状態を維持した状態で浮上させることができる浮上式の免震装置を提供することを目的とする。
【課題を解決するための手段】
【０００９】
上記目的を達成するため、本発明の浮上式の免震装置は、上面を平坦な面に形成した基礎の上に、下面を平坦な面に形成した上部構造物を、基礎の上面と上部構造物の下面とが面接触するように載置するとともに、面接触する基礎の上面と上部構造物の下面の外周部の接触面間を外周封止部材によって封止し、地震時に基礎の上面と上部構造物の下面の間に圧力気体を導入することによって上部構造物を浮上させるようにした浮上式の免震装置において、前記外周部の接触面間を外周封止部材によって封止する面接触する基礎の上面と上部構造物の下面の接触面間の中間部を区画、封止する中間封止部材を、上部構造物の外周側から装着するようにして、地震時に基礎の上面と上部構造物の下面の間に圧力気体を導入することによって、基礎の上面と上部構造物の下面の間に複数の独立した圧力気体導入空間が形成されるようにしたことを特徴とする。
【００１０】
この場合において、中間封止部材の動作を確保する中間封止部材の動作空間を基礎及び上部構造物の一方側に形成することができる。
【００１１】
また、中間封止部材の上下方向の一方側の縁部が、基礎の上面及び上部構造物の下面の一方側に形成された中間封止部材装着部に装着されるとともに、他方側の縁部が、基礎の上面及び上部構造物の下面の他方側の面に摺接されるようにすることができる。
【００１２】
また、中間封止部材を、ばね鋼材で形成するとともに、前記中間封止部材の他方側の縁部が、一方側の縁部に対して、圧力気体導入空間の内側に指向するように傾斜して装着することができる。
【発明の効果】
【００１３】
本発明の浮上式の免震装置によれば、外周部の接触面間を外周封止部材によって封止する面接触する基礎の上面と上部構造物の下面の接触面間の中間部を区画、封止する中間封止部材を、上部構造物の外周側から装着するようにして、地震時に基礎の上面と上部構造物の下面の間に圧力気体を導入することによって、基礎の上面と上部構造物の下面の間に複数の独立した圧力気体導入空間が形成されるようにすることにより、中間封止部材の取り付けを容易、かつ、簡便に行うことができるとともに、重心に偏りがある上部構造物であっても確実に水平状態を維持した状態で浮上させることができ、浮上時のローリング現象等による揺れ角度を抑制することができる。
【００１４】
また、中間封止部材の動作を確保する中間封止部材の動作空間を基礎及び上部構造物の一方側に形成することにより、圧力気体の導入により、徐々にその容積が大きくなる圧力気体導入空間に合わせて、中間封止部材の動作空間内で中間封止部材を安定して動作することを可能にし、圧力気体導入空間からの圧力気体の漏れを確実に防止して、上部構造物を浮上させることができる。
【００１５】
また、中間封止部材の上下方向の一方側の縁部が、基礎の上面及び上部構造物の下面の一方側に形成された中間封止部材装着部に装着されるとともに、他方側の縁部が、基礎の上面及び上部構造物の下面の他方側の面に摺接されるようにすることにより、中間封止部材を上下に縁部を備えた矩形の部材で形成し、一方の縁部は、基礎の上面及び上部構造物の下面の一方側に形成された中間封止部材装着部に装着されて導入される圧力気体を封止し、他方の縁部は、基礎の上面及び上部構造物の下面の他方側の面に摺接されて導入される圧力気体を確実に封止することができるとともに、地震が沈静し、圧力気体の導入を停止した後、上部構造物の下面が基礎の上面に面接触するまでの間、他方側の面に摺接されている他方側の縁部は、摺接した状態を維持しているから、中間封止部材が破損することがなく、再度地震が発生した場合でも上部構造物を確実に浮上させることができる。
【００１６】
また、中間封止部材を、ばね鋼材で形成するとともに、前記中間封止部材の他方側の縁部が、一方側の縁部に対して、圧力気体導入空間の内側に指向するように傾斜して装着することにより、中間封止部材に作用する圧力気体の圧力が、中間封止部材の基礎の上面及び上部構造物の下面の他方側の面に摺接される他方側の縁部に押圧力として作用し、封止を確実に行うことができる。
【図面の簡単な説明】
【００１７】
【図１】本発明の浮上式の免震装置の一実施例を示す正面図で、地震時、上部構造物が浮上している状態を示す概略図である。
【図２】同浮上式の免震装置に使用する封止部材の配設方法を示す概略図で、（ａ）は平面図、（ｂ）は（ａ）のＸ−Ｘ断面図、（ｃ）は（ａ）のＹ−Ｙ断面図である。
【図３】封止部材の側面図で、（ａ）は動作空間に封止部材を装着する際の説明図、（ｂ）は地震時に上部構造物が浮上している状態を示す説明図である。
【図４】封止部材の別の配設方法を示す平面図である。
【図５】動作空間を形成するための施工方法を説明する概略図で、（ａ）は一部切り欠きの平面図、（ｂ）は一部切り欠きの斜視図である。
【図６】従来の浮上式の免震装置を示し、（ａ）は平面図、（ｂ）は（ａ）のＺ−Ｚ断面図、（ｃ）は平常時、（ｄ）は地震時に上部構造物が浮上している状態を示す。
【発明を実施するための形態】
【００１８】
以下、本発明の浮上式の免震装置の実施の形態を、図面に基づいて説明する。
【実施例１】
【００１９】
図１〜図５に、本発明の浮上式の免震装置の一実施例を示す。
この浮上式の免震装置１は、上面３Ａを平坦な面に形成した基礎３の上に、下面２Ａを平坦な面に形成した上部構造物２を、基礎３の上面３Ａと上部構造物２の下面２Ａとが面接触するように載置するとともに、面接触する基礎３の上面３Ａと上部構造物２の下面２Ａの外周部の接触面間を外周封止部材４Ｂによって封止し、地震時に基礎３の上面３Ａと上部構造物２の下面２Ａの間に圧力気体を導入することによって上部構造物２を浮上させるようにして、前記外周部の接触面間を外周封止部材４Ｂによって封止する面接触する基礎３の上面３Ａと上部構造物２の下面２Ａの接触面間の中間部を区画、封止する中間封止部材４Ａを、上部構造物２の外周側から装着するようにして、地震時に基礎３の上面３Ａと上部構造物２の下面２Ａの間に圧力気体を導入することによって、基礎３の上面３Ａと上部構造物２の下面２Ａの間に複数の独立した圧力気体導入空間５が形成されるようにしている。
【００２０】
圧力気体導入空間５の容積は、地震発生後、圧力気体が導入されていくことによって変動（大きくなる）するが、内部に導入される圧力気体が外部に漏れ出すことがないように（ただし、完全に密封する必要はない。）、中間封止部材４Ａ及び外周封止部材４Ｂの動作を確保する中間封止部材４Ａの動作空間６Ａ及び外周封止部材４Ｂの動作空間６Ｂを上部構造物２に形成する（なお、図示は省略するが、上部構造物２に代えて、基礎３に形成することもできる。）ようにしている。
【００２１】
中間封止部材４Ａ及び外周封止部材４Ｂは、中間封止部材４Ａ及び外周封止部材４Ｂの上下方向の一方側の縁部４１が、基礎３の上面３Ａに形成された中間封止部材装着部４０Ａ及び外周封止部材装着部４０Ｂに装着されるとともに、他方側の縁部４２が、基礎３の上面３Ａに摺接されるようにして、基礎３の上面３Ａと上部構造物２の下面２Ａの間に導入される圧力気体によって形成される圧力気体導入空間５内に、圧力気体を確実に封止するようにしている。
なお、図示は省略するが、上記の構成に代えて、中間封止部材４Ａ及び外周封止部材４Ｂの上下方向の一方側の縁部４１が、上部構造物２の下面２Ａに形成された中間封止部材装着部及び外周封止部材装着部に装着されるとともに、他方側の縁部４２が、上部構造物２の下面２Ａに摺接されるようにすることもできる。
ここで、外周封止部材４Ｂは、本実施例においては、中間封止部材４Ａと同様の形状の部材を用いて、導入される圧力気体を封止する構造としており、以下、総称するときは、中間封止部材４Ａ及び外周封止部材４Ｂは、封止部材４と、中間封止部材４Ａ及び外周封止部材４Ｂの装着部である中間封止部材装着部４０Ａ及び外周封止部材装着部４０Ｂは、封止部材装着部４０と、中間封止部材４Ａ及び外周封止部材４Ｂの動作空間６Ａ及び動作空間６Ｂは動作空間６という。
また、封止部材４は、封止部材４を装着する封止部材装着部４０の長さに適合した長尺のもので構成するほか、それより短尺のものを分離可能な連結部を介して連結して構成することもできる。特に、短尺のものを分離可能な連結部を介して連結して構成することにより、封止部材４を取り扱い易くなり、例えば、施工現場が狭小な場合等でも容易に対応することができる。
【００２２】
動作空間６は、上部構造物２の側面側の少なくとも一方を開放し、封止部材４を上部構造物２の外周側から装着することができるように形成する（封止部材４を装着後、適宜の閉鎖部材（図示省略）によって閉鎖するようにする。）とともに、上部に封止部材装着部４０の上端部分が挿通して装着される溝部７を形成するようにしている。
溝部７は、後述するように、上部構造物２が浮上したときに封止部材装着部４０が脱落しないように、抜止部材４３が挿通される空間と、封止部材装着部４０の本体部分が挿通される空間とを有する段部構造となるようにしている。
【００２３】
封止部材４の一方側の縁部４１が装着される封止部材装着部４０は、装着性がよく、かつ、封止部材４によって、圧力気体を圧力気体導入空間５内に封止することができるようにするものであれば、その構造は特に限定されるものではない。
また、封止部材４は、導入される圧力気体を圧力気体導入空間５内に確実に封止することができるものであれば、その材質や装着方向は、特に限定するものではないが、本実施例においては、ばね鋼材で形成するとともに、基礎３の上面３Ａに摺接する封止部材４の他方側の縁部４２が、上部構造物２の下面２Ａに形成された封止部材装着部４０に装着される一方側の縁部４１に対して、圧力気体導入空間５の内側に指向するように傾斜して装着するようにしている。
ばね鋼材としては、防錆性、耐蝕性に優れた、例えば、ステンレス鋼（ＳＵＳ）を用いることができる。
これによって、封止部材４に作用する圧力気体の圧力が、封止部材４の基礎３の上面に摺接される他方側の縁部４２に押圧力として作用し、封止を確実に行うことができる。
【００２４】
そして、封止部材４は、封止部材装着部４０に装着された状態で、基礎３の上面３Ａに摺接させながら、上部構造物２の下面２Ａに形成した動作空間６の溝部７に挿通することによって、基礎３の上面３Ａと上部構造物２の下面２Ａの接触面間の中間部を区画するように装着される。
封止部材４は、動作空間６に装着されるときに、他方側の縁部４２が、基礎３の上面３Ａよりも下方に位置するように、封止部材装着部４０へ取り付けておくことによって、装着の際は、図３（ａ）の矢符に示す方向に撓ませながら装着されることとなり、封止部材４の他方側の縁部４２は、基礎３の上面にばね鋼材のばね力により、押圧されながら摺接することとなる。
これによって、図３（ｂ）に示すように、圧力気体が導入されたとき、圧力気体の圧力による押圧力と相俟って、圧力気体導入空間５に導入される圧力気体を確実に封止することができ、また、圧力気体の圧力によって、封止部材４が反転して圧力気体の圧力が開放されることを防止することができる。
なお、図３（ｂ）に示すように、圧力気体を導入することによって上部構造物２が浮上すると、隣接する中間封止部材４Ａ及び基礎３の上面によって囲まれた空間の容積が増大し、そのままでは、負圧となることによって中間封止部材４Ａの縁部４２の基礎３の上面に対する摺接抵抗が増大することとなる。これに対処するため、中間封止部材４Ａに小口径の透孔（図示省略）を設けておき、上部構造物２の下面２Ａに形成した動作空間６から隣接する中間封止部材４Ａ及び基礎３の上面によって囲まれた空間に圧力気体が導入されるようにすることによって、当該空間が負圧となって中間封止部材４Ａの縁部４２の基礎３の上面に対する摺接抵抗が増大することを防止することができる。
【００２５】
封止部材装着部４０は、上部に抜止部材４３をネジ等の締結具を取り付け、上部構造物２が浮上したときに溝部７から抜け落ちることを防止するようにしている。
また、抜止部材４３と溝部７との接触面から、圧力気体が漏れ出すことがないように、抜止部材４３の下面にはシール材を配設して、抜止部材４３と溝部７との接触面から圧力気体が漏れ出すことを防止することができる。
封止部材４は、封止部材装着部４０の下部にネジ等の締結具によって、封止部材装着部４０と密着するように、例えば、シール材等を介して取り付ける。
このとき、中間封止部材４Ａは、区画する圧力気体導入空間５を隣接して形成する場合には、図３に示すように、１つの中間封止部材装着部４０Ａに対して、対称となるように２つ装着するようにしている。
なお、図４に示すように、基礎３の上面３Ａと上部構造物２の下面２Ａの接触面間の４隅の４箇所に離れて圧力気体導入空間５を形成するときは、中間封止部材４Ａは、外周封止部材４Ｂを外周封止部材装着部４０Ｂに装着する場合と同様に、中間封止部材装着部４０Ａに対して、１つ装着するようにする。
【００２６】
次に、この浮上式の免震装置１の施工方法を説明する。
まず、基礎３となるコンクリートを打設し、養生して固化したコンクリートの上面３Ａを平坦に仕上げる。
この際、少なくとも、外周封止部材４Ｂが摺接することとなる外周の端部から約１ｍ程度の範囲と、中間部のうち中間封止部材４Ａが摺接することとなる範囲とは、封止部材４によって形成される圧力気体導入空間５から圧力気体の漏れを防止する必要があるために、表面に光沢がでるまで回転ゴテを用いて仕上げるようにする。
【００２７】
次に、動作空間６及び溝部７を形成するための型材８を、図５に示すように、基礎３の上面３Ａに載置し、基礎３の外周に接するように上部構造物２の下端部を形成するための枠材を配置する。
型材８は、動作空間６の天井部となるため、防錆性、耐蝕性に優れた、例えば、ステンレス鋼（ＳＵＳ）を用いることが好ましい。
なお、この際、次の工程でコンクリートを打設して上部構造物２を構築する場合には（上部構造物２にプレキャスト部材を使用する場合等を除く。）、基礎３と上部構造物２との縁を切るため、基礎３上にポリエチレン等の合成樹脂製のシート（図示省略）を敷設するようにする。
この場合、基礎３上に敷設する合成樹脂製のシートには、基礎３の上面３Ａと上部構造物２の下面２Ａの間に導入する圧力気体の流通箇所に孔を開けておくことにより、圧力気体の流路を確保するようにする。
【００２８】
そして、上部構造物２の下端部となるコンクリートを打設して、下面２Ａに動作空間６及び溝部７を形成した上部構造物２（上部構造物２の上部基礎）を構築する。
【００２９】
その後、上部構造物２の外周側から、下方に封止部材４、上端に抜止部材４３を装着した封止部材装着部４０を、動作空間６の溝部７に挿通して装着し、基礎３の上面３Ａと上部構造物２の下面２Ａの接触面間を区画する。
なお、圧力気体導入空間５の４隅となる封止部材４同士の当接箇所は、何れか一方の封止部材４の端部を、約４５°に切り欠いて、他方の封止部材４の面に当接させ、導入される圧力気体の圧力が押圧力として一方の封止部材４を他方の封止部材４の面に押し当てて圧力気体の漏れを防止する。このとき、約４５°に切り欠いた封止部材４の端部にパッキン等のシール材を装着しておくことによって、より確実に圧力気体の漏れを防止することができる。
また、封止部材４によって、区画した基礎３の上面３Ａと上部構造物２の下面２Ａの接触面間の区画毎に、それぞれ、圧力気体導入管５Ａを配備し、圧力気体が基礎３の上面３Ａと上部構造物２の下面２Ａの接触面間に導入されたときに、複数の独立した圧力気体導入空間５が形成されるように構成する。
【００３０】
次に、地震発生時の浮上式の免震装置１の動作を説明する。
上部構造物２内に設置した、地震検知器によって揺れを感知したとき、エアコンプレッサ等の圧力気体供給源（図示省略）から圧力気体として、例えば、基礎３の上面３Ａと上部構造物２の下面２Ａの接触面間の区画毎に圧力気体導入管５Ａを介して圧力空気を導入する。
なお、圧力気体供給源としてエアコンプレッサを使用する場合には、圧力空気をエアタンク（図示省略）内に貯留し、該貯留した圧力空気を基礎３の上面３Ａと上部構造物２の下面２Ａの接触面間に導入するように構成することが好ましい。
【００３１】
そして、上部構造物２の重心に偏りがある場合には、重心に近い区画には、他の区画と比べて圧力気体導入空間５の圧力が高圧となるように圧力空気を導入し、上部構造物２を水平状態を維持した状態で浮上させる。
この場合、区画毎に導入する圧力空気の圧力は、上部構造物２の重量等を考慮して設定するほか、上部構造物２に水平度を検知する検知器（図示省略）を配備し、浮上した上部構造物２の水平度と圧力気体導入空間５の圧力とを制御機構（図示省略）によって、フィードバック制御しながら圧力空気を各圧力気体導入空間５に導入するように構成することもできる。
なお、水平状態を維持した状態で浮上させる方法としては、区画毎に浮上した高さが所定高さを超えたときに圧力空気の導入を遮断するバルブを設けることによって行うこともできる。
【００３２】
そして、地震の沈静後、圧力空気の導入を停止し、圧力気体導入空間５内の気体を圧力気体導入管５Ａから外部に排出し、上部構造物２の下面２Ａと基礎３の上面３Ａとを接触させる。
このとき、地震の横方向の揺れによって、浮上した状態で、上部構造物２が浮上前の位置から水平方向に移動している場合には、適宜の上部構造物２の水平方向の位置ずれ修正機構（図示省略）を用いて上部構造物２のずれを修正するようにすることができる。
【００３３】
以上、本発明の浮上式の免震装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３４】
本発明の浮上式の免震装置は、基礎の上面と上部構造物の下面の接触面間の中間部を区画、封止する封止部材が破損することがなく、上部構造物を確実に水平に浮上させることができるという特性を有していることから、重心に偏りがある上部構造物に用いる浮上式の免震装置の用途に好適に適用することができる。
【符号の説明】
【００３５】
１    免震装置
２    上部構造物
２Ａ  下面
３    基礎
３Ａ  上面
４    封止部材
４Ａ  中間封止部材
４Ｂ  外周封止部材
４０  封止部材装着部
４０Ａ  中間封止部材装着部
４１  一方側の縁部
４２  他方側の縁部
５    圧力気体導入空間
６    動作空間
７    溝部
【図１】
2011202769.tif 000003
【図２】
2011202769.tif 000004
【図３】
2011202769.tif 000005
【図４】
2011202769.tif 000006
【図５】
2011202769.tif 000007
【図６】
2011202769.tif 000008